(57)【要約】      （修正有）【課題】框に設けた複数の溝で、分散して荷重を受け止めることができる戸体を提供する。【解決手段】上框１、下框２、左框３、右框４を有した枠体に板体５を配設してなる戸体であって、板体５は、第１の板５１と、第２の板５２とを有し、左框３は、第１の左縦溝３１と、第２の左縦溝３２とを有し、右框４は、第１の右縦溝４１と、第２の右縦溝４２とを有し、第１の板５１の左縁部５１ｃが第１の左縦溝３１に、第２の板５２の左縁部５２ｃが第２の左縦溝３２に、それぞれ係合し、第１の板５１の右縁部５１ｄが第１の右縦溝４１に、第２の板５２の右縁部５２ｄが第２の右縦溝４２に、それぞれ係合し、第１の板５１の上縁部と第２の板５２の上縁部との間に上框１が位置し、第１の板５１の下縁部と第２の板５２の下縁部との間に下框２が位置しているものである。【選択図】図５
2014136870.tif 000002
【特許請求の範囲】
【請求項１】
上部側水平部材、下部側水平部材、左框、右框を有した枠体に板体を配設してなる戸体であって、
前記板体は、第１の板と、この第１の板に対向するように設けられた第２の板とを有し、
前記左框は、第１の左縦溝と、この第１の左縦溝の正面視後方に位置する第２の左縦溝とを有し、
前記右框は、第１の右縦溝と、この第１の右縦溝の正面視後方に位置する第２の右縦溝とを有し、
前記第１の板の左縁部が前記第１の左縦溝に、前記第２の板の左縁部が前記第２の左縦溝に、それぞれ係合し、
前記第１の板の右縁部が前記第１の右縦溝に、前記第２の板の右縁部が前記第２の右縦溝に、それぞれ係合し、
前記第１の板の上縁部と前記第２の板の上縁部との間に前記上部側水平部材が位置し、
前記第１の板の下縁部と前記第２の板の下縁部との間に前記下部側水平部材が位置している
ことを特徴とする戸体。
【請求項２】
上框、下框、左框、右框を有した枠体に板体を配設してなる戸体であって、
前記板体は、第１の板と、この第１の板に対向するように設けられた第２の板とを有し、
前記上框は、第１の上溝と、この第１の上溝の正面視後方に位置する第２の上溝とを有し、
前記下框は、第１の下溝と、この第１の下溝の正面視後方に位置する第２の下溝とを有し、
前記左框は、第１の左縦溝と、この第１の左縦溝の正面視後方に位置する第２の左縦溝とを有し、
前記右框は、第１の右縦溝と、この第１の右縦溝の正面視後方に位置する第２の右縦溝とを有し、
前記第１の板の上縁部が前記第１の上溝に、前記第１の板の右縁部が前記第１の右縦溝に、前記第１の板の下縁部が前記第１の下溝に、前記第１の板の左縁部が前記第１の左縦溝に、それぞれ係合し、
前記第２の板の上縁部が前記第２の上溝に、前記第２の板の右縁部が前記第２の右縦溝に、前記第２の板の下縁部が前記第２の下溝に、前記第２の板の左縁部が前記第２の左縦溝に、それぞれ係合している
ことを特徴とする戸体。
【請求項３】
上框、下框、左框、右框、前記左框の中途と前記右框の中途とを接続すると共に、前記上框及び前記下框に平行な中間框を有し、この中間框の上に位置する第１の枠体に上板体、前記中間框の下に位置する第２の枠体に下板体を配設してなる戸体であって、
前記上板体は、上第１の板と、この上第１の板に対向するように設けられた上第２の板とを有し、
前記下板体は、下第１の板と、この下第１の板に対向するように設けられた下第２の板とを有し、
前記上框は、第１の上溝と、この第１の上溝の正面視後方に位置する第２の上溝とを有し、
前記下框は、第１の下溝と、この第１の下溝の正面視後方に位置する第２の下溝とを有し、
前記中間框は、上端面に、前記第１の上溝に対向する位置に第１の上中間溝と、前記第２の上溝に対向する位置に第２の上中間溝と、下端面に、前記第１の下溝に対向する位置に第１の下中間溝と、前記第２の下溝に対向する位置に第２の下中間溝とを有し、
前記左框は、第１の左縦溝と、この第１の左縦溝の正面視後方に位置する第２の左縦溝とを有し、
前記右框は、第１の右縦溝と、この第１の右縦溝の正面視後方に位置する第２の右縦溝とを有し、
前記上第１の板の上縁部が前記第１の上溝に、前記上第１の板の右縁部が前記第１の右縦溝に、前記上第１の板の下縁部が前記第１の上中間溝に、前記上第１の板の左縁部が前記第１の左縦溝に、それぞれ係合し、
前記上第２の板の上縁部が前記第２の上溝に、前記上第２の板の右縁部が前記第２の右縦溝に、前記上第２の板の下縁部が前記第２の上中間溝に、前記上第２の板の左縁部が前記第２の左縦溝に、それぞれ係合し、
前記下第１の板の上縁部が前記第１の下中間溝に、前記下第１の板の右縁部が前記第１の右縦溝に、前記下第１の板の下縁部が前記第１の下溝に、前記下第１の板の左縁部が前記第１の左縦溝に、それぞれ係合し、
前記下第２の板の上縁部が前記第２の下中間溝に、前記下第２の板の右縁部が前記第２の右縦溝に、前記下第２の板の下縁部が前記第２の下溝に、前記下第２の板の左縁部が前記第２の左縦溝に、それぞれ係合している
ことを特徴とする戸体。
【請求項４】
上２  下１
上框、下框、左框、右框、前記左框の中途と前記右框の中途とを接続すると共に、前記上框及び前記下框に平行な中間框を有し、この中間框の上に位置する第１の枠体に上板体、前記中間框の下に位置する第２の枠体に下板体を配設してなる戸体であって、
前記上板体は、上第１の板と、この上第１の板に対向するように設けられた上第２の板とを有し、
前記下板体は、下板を有し、
前記上框は、第１の上溝と、この第１の上溝の正面視後方に位置する第２の上溝とを有し、
前記下框は、下溝を有し、
前記中間框は、上端面に、前記第１の上溝に対向する位置に第１の上中間溝と、前記第２の上溝に対向する位置に第２の上中間溝と、下端面に、前記下溝に対向する位置に下中間溝を有し、
前記左框は、第１の左縦溝と、この第１の左縦溝の正面視後方に位置する第２の左縦溝と、前記第１の左縦溝と前記第２の左縦溝との間に位置する左縦溝とを有し、
前記右框は、第１の右縦溝と、この第１の右縦溝の正面視後方に位置する第２の右縦溝と、前記第１の右縦溝と前記第２の右縦溝との間に位置する右縦溝とを有し、
前記上第１の板の上縁部が前記第１の上溝に、前記上第１の板の右縁部が前記第１の右縦溝に、前記上第１の板の下縁部が前記第１の上中間溝に、前記上第１の板の左縁部が前記第１の左縦溝に、それぞれ係合し、
前記上第２の板の上縁部が前記第２の上溝に、前記上第２の板の右縁部が前記第２の右縦溝に、前記上第２の板の下縁部が前記第２の上中間溝に、前記上第２の板の左縁部が前記第２の左縦溝に、それぞれ係合し、
前記下板の上縁部が前記下中間溝に、前記下板の右縁部が前記右縦溝に、前記下板の下縁部が前記下溝に、前記下板の左縁部が前記左縦溝に、それぞれ係合している
ことを特徴とする戸体。
【請求項５】
上１  下２
上框、下框、左框、右框、前記左框の中途と前記右框の中途とを接続すると共に、前記上框及び前記下框に平行な中間框を有し、この中間框の上に位置する第１の枠体に上板体、前記中間框の下に位置する第２の枠体に下板体を配設してなる戸体であって、
前記上板体は、上板を有し、
前記下板体は、下第１の板と、この下第１の板に対向するように設けられた下第２の板とを有し、
前記上框は、上溝を有し、
前記下框は、第１の下溝と、この第１の下溝の正面視後方に位置する第２の下溝とを有し、
前記中間框は、上端面に、前記上溝に対向する位置に上中間溝と、下端面に、前記第１の下溝に対向する位置に第１の下中間溝と、前記第２の下溝に対向する位置に第２の下中間溝とを有し、
前記左框は、第１の左縦溝と、この第１の左縦溝の正面視後方に位置する第２の左縦溝と、前記第１の左縦溝と前記第２の左縦溝との間に位置する左縦溝とを有し、
前記右框は、第１の右縦溝と、この第１の右縦溝の正面視後方に位置する第２の右縦溝と、前記第１の右縦溝と前記第２の右縦溝との間に位置する右縦溝とを有し、
前記上板の上縁部が前記上溝に、前記上板の右縁部が前記右縦溝に、前記上板の下縁部が前記上中間溝に、前記上板の左縁部が前記左縦溝に、それぞれ係合し、
前記下第１の板の上縁部が前記第１の下中間溝に、前記下第１の板の右縁部が前記第１の右縦溝に、前記下第１の板の下縁部が前記第１の下溝に、前記下第１の板の左縁部が前記第１の左縦溝に、それぞれ係合し、
前記下第２の板の上縁部が前記第２の下中間溝に、前記下第２の板の右縁部が前記第２の右縦溝に、前記下第２の板の下縁部が前記第２の下溝に、前記下第２の板の左縁部が前記第２の左縦溝に、それぞれ係合している
ことを特徴とする戸体。
【請求項６】
第１の板と第２の板が透明又は半透明部材で形成され、前記第１の板と前記第２の板との間、又は、前記第１の板の裏面、又は、前記第２の板の裏面に被装飾体が設けられている
ことを特徴とする請求項１又は請求項２記載の戸体。
【請求項７】
上第１の板と上第２の板が透明又は半透明部材で形成され、前記上第１の板と前記上第２の板との間、又は、前記上第１の板の裏面、又は、前記上第２の板の裏面に被装飾体が設けられている
ことを特徴とする請求項３又は請求項４記載の戸体。
【請求項８】
下第１の板と下第２の板が透明又は半透明部材で形成され、前記下第１の板と前記下第２の板との間、又は、前記下第１の板の裏面、又は、前記下第２の板の裏面に被装飾体が設けられている
ことを特徴とする請求項３又は請求項５記載の戸体。
【発明の詳細な説明】
【技術分野】
【０００１】
本発明は、戸体に係り、特に、框に設けた複数の溝で、分散して荷重を受け止めることができる戸体に関する。
【背景技術】
【０００２】
従来、建物などの開口に開閉自在に設けられた戸体として、例えば、図２８及び図２９に示すものがある。
この戸体ｄ’は、板体ｄの左縁部を左框３’に設けた１個の左縦溝３０’、板体ｄの右縁部を右框４’に設けた１個の右縦溝４０’に、それぞれ嵌合して構成している。
上述した板体ｄは、第１の板ｄ１と、この第１の板ｄ１に対向するように設けられた第２の板ｄ２と、この第２の板ｄ２と第１の板ｄ１との間であって、第１、第２の板ｄ１、ｄ２の左縦縁部に沿って左側部材（例えば、角材）ｄ３、第２の板ｄ２と第１の板ｄ１との間であって、第１、第２の板ｄ１、ｄ２の右縦縁部に沿って右側部材（例えば、角材）ｄ４、第２の板ｄ２と第１の板ｄ１との間の間隔を保持する段ボール等の間隔保持部材ｄ５からなり、この板体ｄは、第１の板ｄ１、第２の板ｄ２、左側部材ｄ３、右側部材ｄ４、間隔保持部材ｄ５を接着等により一体化され、左側部材ｄ３、右側部材ｄ４が有る分、強固なものとなっている。
【発明の概要】
【発明が解決しようとする課題】
【０００３】
ところが、板体ｄの左縁部を左框３’に設けた１個の左縦溝３０’、板体ｄの右縁部を右框４’に設けた１個の右縦溝４０’でそれぞれ支持した場合、１個の左縦溝３０’及び右縦溝４０’に集中して荷重がかかるため、左縦溝３０’及び右縦溝４０’の肉厚等を増して対応しなければならないという問題点が生じた。
また、戸体ｄ’の幅寸法が変わると、戸体ｄ’の幅寸法に対応して、第１の板ｄ１、第２の板ｄ２のみならず、左側部材（例えば、角材）ｄ３、右側部材（例えば、角材）ｄ４においても対応しなければならず、使用勝手が良好でないという問題点も生じた。
【０００４】
本発明は、上記の問題点を考慮してなされた戸体を提供することを目的とする。
【課題を解決するための手段】
【０００５】
請求項１記載の戸体は、上部側水平部材、下部側水平部材、左框、右框を有した枠体に板体を配設してなる戸体であって、前記板体は、第１の板と、この第１の板に対向するように設けられた第２の板とを有し、前記左框は、第１の左縦溝と、この第１の左縦溝の正面視後方に位置する第２の左縦溝とを有し、前記右框は、第１の右縦溝と、この第１の右縦溝の正面視後方に位置する第２の右縦溝とを有し、前記第１の板の左縁部が前記第１の左縦溝に、前記第２の板の左縁部が前記第２の左縦溝に、それぞれ係合し、前記第１の板の右縁部が前記第１の右縦溝に、前記第２の板の右縁部が前記第２の右縦溝に、それぞれ係合し、前記第１の板の上縁部と前記第２の板の上縁部との間に前記上部側水平部材が位置し、前記第１の板の下縁部と前記第２の板の下縁部との間に前記下部側水平部材が位置しているものである。
【０００６】
また、請求項２記載の戸体は、上框、下框、左框、右框を有した枠体に板体を配設してなる戸体であって、前記板体は、第１の板と、この第１の板に対向するように設けられた第２の板とを有し、前記上框は、第１の上溝と、この第１の上溝の正面視後方に位置する第２の上溝とを有し、前記下框は、第１の下溝と、この第１の下溝の正面視後方に位置する第２の下溝とを有し、前記左框は、第１の左縦溝と、この第１の左縦溝の正面視後方に位置する第２の左縦溝とを有し、前記右框は、第１の右縦溝と、この第１の右縦溝の正面視後方に位置する第２の右縦溝とを有し、前記第１の板の上縁部が前記第１の上溝に、前記第１の板の右縁部が前記第１の右縦溝に、前記第１の板の下縁部が前記第１の下溝に、前記第１の板の左縁部が前記第１の左縦溝に、それぞれ係合し、前記第２の板の上縁部が前記第２の上溝に、前記第２の板の右縁部が前記第２の右縦溝に、前記第２の板の下縁部が前記第２の下溝に、前記第２の板の左縁部が前記第２の左縦溝に、それぞれ係合しているものである。
【０００７】
また、請求項３記載の戸体は、上框、下框、左框、右框、前記左框の中途と前記右框の中途とを接続すると共に、前記上框及び前記下框に平行な中間框を有し、この中間框の上に位置する第１の枠体に上板体、前記中間框の下に位置する第２の枠体に下板体を配設してなる戸体であって、前記上板体は、上第１の板と、この上第１の板に対向するように設けられた上第２の板とを有し、前記下板体は、下第１の板と、この下第１の板に対向するように設けられた下第２の板とを有し、前記上框は、第１の上溝と、この第１の上溝の正面視後方に位置する第２の上溝とを有し、前記下框は、第１の下溝と、この第１の下溝の正面視後方に位置する第２の下溝とを有し、前記中間框は、上端面に、前記第１の上溝に対向する位置に第１の上中間溝と、前記第２の上溝に対向する位置に第２の上中間溝と、下端面に、前記第１の下溝に対向する位置に第１の下中間溝と、前記第２の下溝に対向する位置に第２の下中間溝とを有し、前記左框は、第１の左縦溝と、この第１の左縦溝の正面視後方に位置する第２の左縦溝とを有し、前記右框は、第１の右縦溝と、この第１の右縦溝の正面視後方に位置する第２の右縦溝とを有し、前記上第１の板の上縁部が前記第１の上溝に、前記上第１の板の右縁部が前記第１の右縦溝に、前記上第１の板の下縁部が前記第１の上中間溝に、前記上第１の板の左縁部が前記第１の左縦溝に、それぞれ係合し、前記上第２の板の上縁部が前記第２の上溝に、前記上第２の板の右縁部が前記第２の右縦溝に、前記上第２の板の下縁部が前記第２の上中間溝に、前記上第２の板の左縁部が前記第２の左縦溝に、それぞれ係合し、前記下第１の板の上縁部が前記第１の下中間溝に、前記下第１の板の右縁部が前記第１の右縦溝に、前記下第１の板の下縁部が前記第１の下溝に、前記下第１の板の左縁部が前記第１の左縦溝に、それぞれ係合し、前記下第２の板の上縁部が前記第２の下中間溝に、前記下第２の板の右縁部が前記第２の右縦溝に、前記下第２の板の下縁部が前記第２の下溝に、前記下第２の板の左縁部が前記第２の左縦溝に、それぞれ係合しているものである。
【０００８】
また、請求項４記載の戸体は、上框、下框、左框、右框、前記左框の中途と前記右框の中途とを接続すると共に、前記上框及び前記下框に平行な中間框を有し、この中間框の上に位置する第１の枠体に上板体、前記中間框の下に位置する第２の枠体に下板体を配設してなる戸体であって、前記上板体は、上第１の板と、この上第１の板に対向するように設けられた上第２の板とを有し、前記下板体は、下板を有し、前記上框は、第１の上溝と、この第１の上溝の正面視後方に位置する第２の上溝とを有し、前記下框は、下溝を有し、前記中間框は、上端面に、前記第１の上溝に対向する位置に第１の上中間溝と、前記第２の上溝に対向する位置に第２の上中間溝と、下端面に、前記下溝に対向する位置に下中間溝を有し、前記左框は、第１の左縦溝と、この第１の左縦溝の正面視後方に位置する第２の左縦溝と、前記第１の左縦溝と前記第２の左縦溝との間に位置する左縦溝とを有し、前記右框は、第１の右縦溝と、この第１の右縦溝の正面視後方に位置する第２の右縦溝と、前記第１の右縦溝と前記第２の右縦溝との間に位置する右縦溝とを有し、前記上第１の板の上縁部が前記第１の上溝に、前記上第１の板の右縁部が前記第１の右縦溝に、前記上第１の板の下縁部が前記第１の上中間溝に、前記上第１の板の左縁部が前記第１の左縦溝に、それぞれ係合し、前記上第２の板の上縁部が前記第２の上溝に、前記上第２の板の右縁部が前記第２の右縦溝に、前記上第２の板の下縁部が前記第２の上中間溝に、前記上第２の板の左縁部が前記第２の左縦溝に、それぞれ係合し、前記下板の上縁部が前記下中間溝に、前記下板の右縁部が前記右縦溝に、前記下板の下縁部が前記下溝に、前記下板の左縁部が前記左縦溝に、それぞれ係合しているものである。
【０００９】
また、請求項５記載の戸体は、上框、下框、左框、右框、前記左框の中途と前記右框の中途とを接続すると共に、前記上框及び前記下框に平行な中間框を有し、この中間框の上に位置する第１の枠体に上板体、前記中間框の下に位置する第２の枠体に下板体を配設してなる戸体であって、前記上板体は、上板を有し、前記下板体は、下第１の板と、この下第１の板に対向するように設けられた下第２の板とを有し、前記上框は、上溝を有し、前記下框は、第１の下溝と、この第１の下溝の正面視後方に位置する第２の下溝とを有し、前記中間框は、上端面に、前記上溝に対向する位置に上中間溝と、下端面に、前記第１の下溝に対向する位置に第１の下中間溝と、前記第２の下溝に対向する位置に第２の下中間溝とを有し、前記左框は、第１の左縦溝と、この第１の左縦溝の正面視後方に位置する第２の左縦溝と、前記第１の左縦溝と前記第２の左縦溝との間に位置する左縦溝とを有し、前記右框は、第１の右縦溝と、この第１の右縦溝の正面視後方に位置する第２の右縦溝と、前記第１の右縦溝と前記第２の右縦溝との間に位置する右縦溝とを有し、前記上板の上縁部が前記上溝に、前記上板の右縁部が前記右縦溝に、前記上板の下縁部が前記上中間溝に、前記上板の左縁部が前記左縦溝に、それぞれ係合し、前記下第１の板の上縁部が前記第１の下中間溝に、前記下第１の板の右縁部が前記第１の右縦溝に、前記下第１の板の下縁部が前記第１の下溝に、前記下第１の板の左縁部が前記第１の左縦溝に、それぞれ係合し、前記下第２の板の上縁部が前記第２の下中間溝に、前記下第２の板の右縁部が前記第２の右縦溝に、前記下第２の板の下縁部が前記第２の下溝に、前記下第２の板の左縁部が前記第２の左縦溝に、それぞれ係合しているものである。
【発明の効果】
【００１０】
請求項１記載の戸体によれば、戸体の幅寸法が変わっても、該幅寸法に対応して上部側水平部材、下部側水平部材、第１、第２の板の幅寸法を変えて対応することができ、しかも、第１の板の右縁部が第１の右縦溝に、第１の板の左縁部が第１の左縦溝に、それぞれ係合し、第２の板の右縁部が第２の右縦溝に、第２の板の左縁部が第２の左縦溝に、それぞれ係合しているため、左框にあっては、第１の左縦溝、第２の左縦溝と複数の溝で、右框にあっては、第１の右縦溝、第２の右縦溝と複数の溝で、それぞれ分散して受け止め、戸体の強度を保つことができる。
【００１１】
また、請求項２記載の戸体によれば、戸体の幅寸法が変わっても、該幅寸法に対応して上框、下框、第１、第２の板の幅寸法を変えて対応することができ、しかも、第１の板の上縁部が第１の上溝に、第１の板の右縁部が第１の右縦溝に、第１の板の下縁部が第１の下溝に、第１の板の左縁部が第１の左縦溝に、それぞれ係合し、第２の板の上縁部が第２の上溝に、第２の板の右縁部が第２の右縦溝に、第２の板の下縁部が第２の下溝に、第２の板の左縁部が第２の左縦溝に、それぞれ係合しているため、第１、第２の板体にかかる荷重を上框にあっては、第１の上溝、第２の上溝と複数の溝で、左框にあっては、第１の左縦溝、第２の左縦溝と複数の溝で、右框にあっては、第１の右縦溝、第２の右縦溝と複数の溝で、下框にあっては、第１の下溝、第２の下溝と複数の溝で、それぞれ分散して受け止め、戸体の強度を保つことができる。
【００１２】
また、請求項３記載の戸体によれば、戸体の幅寸法が変わっても、該幅寸法に対応して上框、下框、中間框、上板体、下板体の幅寸法を変えて対応することができ、しかも、上第１の板の上縁部が第１の上溝に、上第１の板の右縁部が第１の右縦溝に、上第１の板の下縁部が第１の上中間溝に、上第１の板の左縁部が第１の左縦溝に、それぞれ係合し、上第２の板の上縁部が第２の上溝に、上第２の板の右縁部が第２の右縦溝に、上第２の板の下縁部が第２の上中間溝に、上第２の板の左縁部が第２の左縦溝に、それぞれ係合し、下第１の板の上縁部が第１の下中間溝に、下第１の板の右縁部が第１の右縦溝に、下第１の板の下縁部が第１の下溝に、下第１の板の左縁部が第１の左縦溝に、それぞれ係合し、下第２の板の上縁部が第２の下中間溝に、下第２の板の右縁部が第２の右縦溝に、下第２の板の下縁部が第２の下溝に、下第２の板の左縁部が第２の左縦溝に、それぞれ係合しているため、上板体、下板体にかかる荷重を上框にあっては、第１の上溝、第２の上溝と複数の溝で、左框にあっては、第１の左縦溝、第２の左縦溝と複数の溝で、右框にあっては、第１の右縦溝、第２の右縦溝と複数の溝で、中間框にあっては、第１の上中間溝、第２の上中間溝、第１の下中間溝、第２の下中間溝、下框にあっては、第１の下溝、第２の下溝と複数の溝で、それぞれ分散して受け止め、戸体Ｄの強度を保つことができる。
【００１３】
また、請求項４記載の戸体によれば、戸体の幅寸法が変わっても、該幅寸法に対応して上框、下框、中間框、上板体、下板体の幅寸法を変えて対応することができ、しかも、上第１の板の上縁部が第１の上溝に、上第１の板の右縁部が第１の右縦溝に、上第１の板の下縁部が第１の上中間溝に、上第１の板の左縁部が第１の左縦溝に、それぞれ係合し、上第２の板の上縁部が第２の上溝に、上第２の板の右縁部が第２の右縦溝に、上第２の板の下縁部が第２の上中間溝に、上第２の板の左縁部が第２の左縦溝に、それぞれ係合し、下板の上縁部が下中間溝に、下板の右縁部が右縦溝に、下板の下縁部が下溝に、下板の左縁部が左縦溝に、それぞれ係合しているため、上板体にかかる荷重を上框にあっては、第１の上溝、第２の上溝と複数の溝で、左框にあっては、第１の左縦溝、第２の左縦溝と複数の溝で、右框にあっては、第１の右縦溝、第２の右縦溝と複数の溝で、中間框にあっては、第１の上中間溝、第２の上中間溝で、それぞれ分散して受け止め、戸体Ｄの強度を保つことができる。
【００１４】
また、請求項５記載の戸体によれば、戸体の幅寸法が変わっても、該幅寸法に対応して上框、下框、中間框、上板体、下板体の幅寸法を変えて対応することができ、しかも、上板の上縁部が上溝に、上板の右縁部が右縦溝に、上板の下縁部が上中間溝に、上板の左縁部が左縦溝に、それぞれ係合し、下第１の板の上縁部が第１の下中間溝に、下第１の板の右縁部が第１の右縦溝に、下第１の板の下縁部が第１の下溝に、下第１の板の左縁部が第１の左縦溝に、それぞれ係合し、下第２の板の上縁部が第２の下中間溝に、下第２の板の右縁部が第２の右縦溝に、下第２の板の下縁部が第２の下溝に、下第２の板の左縁部が第２の左縦溝に、それぞれ係合しているため、下板体にかかる荷重を左框にあっては、第１の左縦溝、第２の左縦溝と複数の溝で、右框にあっては、第１の右縦溝、第２の右縦溝と複数の溝で、中間框にあっては、第１の下中間溝、第２の下中間溝、下框にあっては、第１の下溝、第２の下溝と複数の溝で、それぞれ分散して受け止め、戸体Ｄの強度を保つことができる。
【図面の簡単な説明】
【００１５】
【図１】図１は、本発明の一実施例の戸体の概略的正面図である。
【図２】図２は、図１の２−２の概略的断面図である。
【図３】図３は、図１の３−３の概略的断面図である。
【図４】図４は、図１の戸体の概略的斜視図である。
【図５】図５は、図１の戸体を分解して示す概略的分解正面図である。
【図６】図６は、図２の一部を分解して示す概略的一部分解断面図である。
【図７】図７は、図３の一部を分解して示す概略的一部分解断面図である。
【図８】図８は、図５の戸体の一部を分解して示す概略的一部分解斜視図である。
【図９】図９は、図１の戸体と異なる他の実施例の戸体の概略的正面図である。
【図１０】図１０は、図９の戸体の一部を分解して示す概略的一部分解斜視図である。
【図１１】図１１は、図９の１１−１１の概略的断面図である。
【図１２】図１２は、図９の１２−１２の概略的断面図である。
【図１３】図１３は、図９の１３−１３の概略的断面図である。
【図１４】図１４は、図９の戸体と異なる他の実施例の戸体の概略的正面図である。
【図１５】図１５は、図１４の１５−１５の概略的断面図である。
【図１６】図１６は、図１４の１６−１６の概略的断面図である。
【図１７】図１７は、図１４の１７−１７の概略的断面図である。
【図１８】図１８は、図１７の戸体と異なる他の実施例の戸体の概略的正面図である。
【図１９】図１９は、図１８の１９−１９の概略的断面図である。
【図２０】図２０は、図１８の２０−２０の概略的断面図である。
【図２１】図２１は、図１８の２１−２１の概略的断面図である。
【図２２】図２２は、図１８の戸体と異なる他の実施例の戸体の概略的正面図である。
【図２３】図２３は、図２２の２３−２３の概略的断面図である。
【図２４】図２４は、図２２の２４−２４の概略的断面図である。
【図２５】図２５は、図２２の２５−２５の概略的断面図である。
【図２６】図２６は、図２３の戸体と異なる他の実施例の戸体の概略的断面図である。
【図２７】図２７は、図２６の戸体と異なる他の実施例の戸体の概略的断面図である。
【図２８】図２８は、従来の戸体の概略的正面図である。
【図２９】図２９は、図２８の２９−２９の概略的断面図である。
【発明を実施するための形態】
【００１６】
（実施例1）
本発明の一実施例の戸体を図面（図１乃至図８）を参照して説明する。
図１に示すＤは、建物などの開口に開閉自在に設けられる戸体で、戸体Ｄは、上部側水平部材（上框）１、下部側水平部材（下框）２、左框３、右框４を有した枠体と、この枠体に配設された板体５とを有する。
【００１７】
板体５は、図８に示すように、２枚の四角形状の板５１、５２の間に間隔保持部材５３を有したもので、例えば、第１の板５１と、この第１の板５１に対向するように設けられた第２の板５２と、この第２の板５２と第１の板５１との間隔を保持する間隔保持部材５３とを有し、第２の板５２と第１の板５１と間隔保持部材５３とは、接着剤を介して一体に形成されている。間隔保持部材５３は、例えば、ハニカム段ボール紙で形成することができる。板体５における間隔保持部材５３は、場合により省略することができる。
【００１８】
左框３は、図６及び図７に示すように、第１の左縦溝３１と、この第１の左縦溝３１の正面視後方に位置する第２の左縦溝３２とを有している。
また、右框４は、第１の右縦溝４１と、この第１の右縦溝４１の正面視後方に位置する第２の右縦溝４２とを有している。
【００１９】
そして、図８に示すように、第１の板５１の上縁部５１ａと第２の板５２の上縁５２ａ部との間に上部側水平部材（上框）１が位置し、第１の板５１の下縁部５１ｂと第２の板５２の下縁部５２ｂとの間に下部側水平部材（下框）２が位置している。
また、図６及び図７に示すように、第１の板５１の左縁部５１ｃが第１の左縦溝３１に、第２の板５２の左縁部５２Ｃが第２の左縦溝３２に、第１の板５１の右縁部５１ｄが第１の右縦溝４１に、第２の板５２の右縁部５２ｄが第２の右縦溝４２に、それぞれ係合している。
なお、上部側水平部材（上框）１の一方に設けた凸部１ａは、左框３に設けた凹部３ａに、上部側水平部材（上框）１の他方に設けた凸部１ｂは、右框４に設けた凹部４ａに、下部側水平部材（下框）２の一方に設けた凸部２ａは、左框３に設けた凹部３ｂに、下部側水平部材（下框）２の他方に設けた凸部２ｂは、右框４に設けた凹部４ｂに、それぞれ嵌合するようになっている（図１、図２、図５、図６参照）。
【００２０】
従って、上述した戸体Ｄによれば、戸体Ｄの幅寸法が変わっても、該幅寸法に対応して上部側水平部材（上框）１、下部側水平部材（下框）２、第１、第２の板５１、５２の幅寸法を変えて対応することができ、しかも、板体５の左縁部及び右縁部を補強しなくても、第１の板５１の左縁部５１ｃが第１の左縦溝３１に、第２の板５２の左縁部５２Ｃが第２の左縦溝３２に、第１の板５１の右縁部５１ｄが第１の右縦溝４１に、第２の板５２の右縁部５２ｄが第２の右縦溝４２に、それぞれ係合しているため、板体５にかかる荷重を左框３にあっては、第１の左縦溝３１、第２の左縦溝３２と複数の溝で、右框４にあっては、第１の右縦溝４１、第２の右縦溝４２と複数の溝で、それぞれ分散して受け止め、戸体Ｄの強度を保つことができる。
【００２１】
（実施例２）
上述した実施例１においては、上部側水平部材（上框）１及び下部側水平部材（下框）２に溝を設けていないが、本願発明にあっては、これに限らず、上部側水平部材（上框）１及び下部側水平部材（下框）２に溝を設けるようにしても良い。
即ち、戸体Ｄは、実施例１の戸体Ｄと同様に、上框１、下框２、左框３、右框４を有した枠体と、この枠体に配設された板体５とを有する（図９乃至図１３）。
【００２２】
板体５は、実施例１の板体５（図８参照）と同様、２枚の四角形状の板５１、５２の間に間隔保持部材５３を有したもので、例えば、第１の板５１と、この第１の板５１に対向するように設けられた第２の板５２と、この第２の板５２と第１の板５１との間隔を保持する間隔保持部材５３とを有し、第２の板５２と第１の板５１と間隔保持部材５３とは、接着剤を介して一体に形成されている。間隔保持部材５３は、例えば、ハニカム段ボール紙で形成することができる。板体５における間隔保持部材５３は、場合により省略することができる。
【００２３】
上框１は、図１１に示すように、第１の上溝１１と、この第１の上溝１１の正面視後方に位置する第２の上溝１２とを有し、下框２は、第１の下溝２１と、この第１の下溝２１の正面視後方に位置する第２の下溝２２とを有している。
左框３は、上述した実施例１の左框３と同様、図１２及び図１３に示すように、第１の左縦溝３１と、この第１の左縦溝３１の正面視後方に位置する第２の左縦溝３２とを有している。
また、右框４は、上述した実施例１の右框４と同様、図１２及び図１３に示すように、第１の右縦溝４１と、この第１の右縦溝４１の正面視後方に位置する第２の右縦溝４２とを有している。
【００２４】
そして、図１１及び図１３に示すように、第１の板５１の上縁部５１ａが第１の上溝１１に、第１の板５１の右縁部５１ｄが第１の右縦溝４１に、第１の板５１の下縁部５１ｂが第１の下溝２１に、第１の板５１の左縁部５１ｃが第１の左縦溝３１に、それぞれ係合し、第２の板５２の上縁部５２ａが第２の上溝１２に、第２の板５２の右縁部５２ｄが第２の右縦溝４２に、第２の板５２の下縁部５２ｂが第２の下溝２２に、第２の板５２の左縁部５２ｃが第２の左縦溝３２に、それぞれ係合している。
【００２５】
従って、上述した戸体Ｄによれば、戸体Ｄの幅寸法が変わっても、該幅寸法に対応して上框１、下框２、第１、第２の板５１、５２の幅寸法を変えて対応することができ、しかも、第１の板５１の上縁部５１ａが第１の上溝１１に、第１の板５１の右縁部５１ｄが第１の右縦溝４１に、第１の板５１の下縁部５１ｂが第１の下溝２１に、第１の板５１の左縁部５１ｃが第１の左縦溝３１に、それぞれ係合し、第２の板５２の上縁部５２ａが第２の上溝２に、第２の板５２の右縁部５２ｄが第２の右縦溝４２に、第２の板５２の下縁部５２ｂが第２の下溝２２に、第２の板５２の左縁部５２ｃが第２の左縦溝３２に、それぞれ係合しているため、第１、第２の板体５１、５２にかかる荷重を上框１にあっては、第１の上溝１１、第２の上溝１２と複数の溝で、左框３にあっては、第１の左縦溝３１、第２の左縦溝３２と複数の溝で、右框４にあっては、第１の右縦溝４１、第２の右縦溝４２と複数の溝で、下框２にあっては、第１の下溝２１、第２の下溝２２と複数の溝で、それぞれ分散して受け止め、戸体Ｄの強度を保つことができる。
【００２６】
（実施例３）
上述した実施例２においては、戸体Ｄの枠体を上框１、下框２、左框３、右框４で構成したが、本願発明にあっては、これに限らず、枠体を複数で形成しても良い。
即ち、戸体Ｄは、上述した実施例２の戸体Ｄと同様に、上框１、下框２、左框３、右框４、左框３の中途と右框４の中途とを接続すると共に、上框１及び下框２に平行な中間框６を有し、この中間框６の上に位置する第１の枠体に上板体Ｕ５、中間框６の下に位置する第２の枠体に下板体Ｄ５を配設してなるものである（図１４乃至図１７）。
【００２７】
上板体Ｕ５は、図１５及び図１６に示すように、上第１の板５１’と、この上第１の板５１’に対向するように設けられた上第２の板５２’と、この上第２の板５２’と上第１の板５１’との間隔を保持する第１の間隔保持部材５３’とを有し、上第２の板５２’と上第１の板５１’と第１の間隔保持部材５３’とは、接着剤を介して一体に形成されている。第１の間隔保持部材５３’は、例えば、ハニカム段ボール紙で形成することができる。第１の間隔保持部材５３’は、場合により省略することができる。
下板体Ｄ５は、図１５及び図１７に示すように、下第１の板５１”と、この下第１の板５１”に対向するように設けられた下第２の板５２”と、この下第２の板５２”と下第１の板５１”との間隔を保持する第２の間隔保持部材５３”とを有し、下第２の板５２”と下第１の板５１”と第２の間隔保持部材５３”とは、接着剤を介して一体に形成されている。第２の間隔保持部材５３”は、例えば、ハニカム段ボール紙で形成することができる。第２の間隔保持部材５３”は、場合により省略することができる。
【００２８】
上框１は、図１５に示すように、第１の上溝１１と、この第１の上溝１１の正面視後方に位置する第２の上溝１２とを有し、下框２は、第１の下溝２１と、この第１の下溝２１の正面視後方に位置する第２の下溝２２とを有している。
また、中間框６は、上端面に、第１の上溝１１に対向する位置に第１の上中間溝６１と、第２の上溝１２に対向する位置に第２の上中間溝６２と、下端面に、第１の下溝２１に対向する位置に第１の下中間溝６１’と、第２の下溝２２に対向する位置に第２の下中間溝６２’とを有している。
左框３は、上述した実施例１の左框３と同様、図１６及び図１７に示すように、第１の左縦溝３１と、この第１の左縦溝３１の正面視後方に位置する第２の左縦溝３２とを有している。
また、右框４は、上述した実施例１の右框４と同様、図１６及び図１７に示すように、第１の右縦溝４１と、この第１の右縦溝４１の正面視後方に位置する第２の右縦溝４２とを有している。
【００２９】
そして、図１５及び図１６に示すように、上第１の板５１’の上縁部５１’ａが第１の上溝１１に、上第１の板５１’の右縁部５１’ｄが第１の右縦溝４１に、上第１の板５１’の下縁部５１’ｂが第１の上中間溝６１に、上第１の板５１’の左縁部５１’ｃが第１の左縦溝３１に、それぞれ係合し、上第２の板５２’の上縁部５２’ａが第２の上溝１２に、上第２の板５２’の右縁部５２’ｄが第２の右縦溝４２に、上第２の板５２’の下縁部５２’ｂが第２の上中間溝６２に、上第２の板５２’の左縁部５２’ｃが第２の左縦溝３２に、それぞれ係合し、
また、図１５及び図１７に示すように、下第１の板５１”の上縁部５１”ａが第１の下中間溝６１’に、下第１の板５１”の右縁部５１”ｄが第１の右縦溝４１に、下第１の板５１”の下縁部５１”ｂが第１の下溝２１に、下第１の板５１”の左縁部５１”ｃが第１の左縦溝３１に、それぞれ係合し、下第２の板５２”の上縁部５２”ａが第２の下中間溝６２’に、下第２の板５２”の右縁部５２”ｄが第２の右縦溝４２に、下第２の板５２”の下縁部５２”ｂが第２の下溝２２に、下第２の板５２”の左縁部５２”ｃが第２の左縦溝３２に、それぞれ係合している。
【００３０】
従って、上述した戸体Ｄによれば、戸体Ｄの幅寸法が変わっても、該幅寸法に対応して上框１、下框２、中間框６、上板体Ｕ５、下板体Ｄ５の幅寸法を変えて対応することができ、しかも、図１５及び図１６に示すように、上第１の板５１’の上縁部５１’ａが第１の上溝１１に、上第１の板５１’の右縁部５１’ｄが第１の右縦溝４１に、上第１の板５１’の下縁部５１’ｂが第１の上中間溝６１に、上第１の板５１’の左縁部５１’ｃが第１の左縦溝３１に、それぞれ係合し、上第２の板５２’の上縁部５２’ａが第２の上溝１２に、上第２の板５２’の右縁部５２’ｄが第２の右縦溝４２に、上第２の板５２’の下縁部５２’ｂが第２の上中間溝６２に、上第２の板５２’の左縁部５２’ｃが第２の左縦溝３２に、それぞれ係合し、
また、図１５及び図１７に示すように、下第１の板５１”の上縁部５１”ａが第１の下中間溝６１’に、下第１の板５１”の右縁部５１”ｄが第１の右縦溝４１に、下第１の板５１”の下縁部５１”ｂが第１の下溝２１に、下第１の板５１”の左縁部５１”ｃが第１の左縦溝３１に、それぞれ係合し、下第２の板５２”の上縁部５２”ａが第２の下中間溝６２’に、下第２の板５２”の右縁部５２”ｄが第２の右縦溝４２に、下第２の板５２”の下縁部５２”ｂが第２の下溝２２に、下第２の板５２”の左縁部５２”ｃが第２の左縦溝３２に、それぞれ係合しているため、上板体Ｕ５、下板体Ｄ５にかかる荷重を上框１にあっては、第１の上溝１１、第２の上溝１２と複数の溝で、左框３にあっては、第１の左縦溝３１、第２の左縦溝３２と複数の溝で、右框４にあっては、第１の右縦溝４１、第２の右縦溝４２と複数の溝で、中間框６にあっては、第１の上中間溝６１、第２の上中間溝６２、第１の下中間溝６１’、第２の下中間溝６２’、下框２にあっては、第１の下溝２１、第２の下溝２２と複数の溝で、それぞれ分散して受け止め、戸体Ｄの強度を保つことができる。
【００３１】
（実施例４）
上述した実施例３においては、下板体Ｄ５を下第１の板５１”、下第２の板５２”を複数枚で構成したが、本願発明にあっては、これに限らず、図１８乃至図２１に示すように、下板体Ｄ５を一枚の板で構成するようにしても良い。
かかる場合、戸体Ｄは、実施例３と同様、上框１、下框２、左框３、右框４、左框３の中途と右框４の中途とを接続すると共に、上框１及び下框２に平行な中間框６を有し、この中間框６の上に位置する第１の枠体に上板体Ｕ５、中間框６の下に位置する第２の枠体に下板体Ｄ５を配設してなるものである。
【００３２】
上板体Ｕ５は、上第１の板５１’と、この上第１の板５１’に対向するように設けられた上第２の板５２’とを有している。下板体Ｄ５は、下板５０”を有している。
上框１は、第１の上溝１１と、この第１の上溝１１の正面視後方に位置する第２の上溝１２とを有している。下框２は、下溝２０を有している。
【００３３】
中間框６は、上端面に、第１の上溝１１に対向する位置に第１の上中間溝６１と、第２の上溝１２に対向する位置に第２の上中間溝６２と、下端面に、下溝２０に対向する位置に下中間溝６０’を有している。
【００３４】
左框３は、第１の左縦溝３１と、この第１の左縦溝３１の正面視後方に位置する第２の左縦溝３２と、第１の左縦溝３１と第２の左縦溝３２との間に位置する左縦溝３０とを有している。
右框４は、第１の右縦溝４１と、この第１の右縦溝４１の正面視後方に位置する第２の右縦溝４２と、第１の右縦溝４１と第２の右縦溝４２との間に位置する右縦溝４０とを有している。
【００３５】
そして、上第１の板５１’の上縁部が第１の上溝１１に、上第１の板５１’の右縁部が第１の右縦溝４１に、上第１の板５１’の下縁部が第１の上中間溝６１に、上第１の板５１’の左縁部が第１の左縦溝３１に、それぞれ係合している。
また、上第２の板５２’の上縁部が第２の上溝１２に、上第２の板５２’の右縁部が第２の右縦溝４２に、上第２の板５２’の下縁部が第２の上中間溝６２に、上第２の板５２’の左縁部が第２の左縦溝３２に、それぞれ係合している。
下板５０”の上縁部が下中間溝６０’に、下板５０”の右縁部が右縦溝４０に、下板５０”の下縁部が下溝２０に、下板５０”の左縁部が左縦溝３０に、それぞれ係合している。なお、図２１に示すＦは、露出した第１の左縦溝３１、第２の左縦溝３２、第１の右縦溝４１、第２の右縦溝４２を隠す封止部材である。
【００３６】
従って、この実施例の戸体Ｄによれば、戸体Ｄの幅寸法が変わっても、該幅寸法に対応して上框１、下框２、中間框６、上板体Ｕ５、下板体Ｄ５の幅寸法を変えて対応することができ、しかも、上第１の板５１’の上縁部が第１の上溝１１に、上第１の板５１’の右縁部が第１の右縦溝４１に、上第１の板５１’の下縁部が第１の上中間溝６１に、上第１の板５１’の左縁部が第１の左縦溝３１に、それぞれ係合し、上第２の板５２’の上縁部が第２の上溝１２に、上第２の板５２’の右縁部が第２の右縦溝４２に、上第２の板５２’の下縁部が第２の上中間溝６２に、上第２の板５２’の左縁部が第２の左縦溝３２に、それぞれ係合し、下板５０”の上縁部が下中間溝６０’に、下板５０”の右縁部が右縦溝４０に、下板５０”の下縁部が下溝２０に、下板５０”の左縁部が左縦溝３０に、それぞれ係合しているため、上板体Ｕ５にかかる荷重を上框１にあっては、第１の上溝１１、第２の上溝１２と複数の溝で、左框３にあっては、第１の左縦溝３１、第２の左縦溝３２と複数の溝で、右框４にあっては、第１の右縦溝４１、第２の右縦溝４２と複数の溝で、中間框６にあっては、第１の上中間溝６１、第２の上中間溝６２で、それぞれ分散して受け止め、戸体Ｄの強度を保つことができる。
【００３７】
（実施例５）
また、上述した実施例３においては、下板体Ｄ５を下第１の板５１”、下第２の板５２”を複数枚で構成したが、本願発明にあっては、これに限らず、図２２乃至図２５に示すように、下板体Ｄ５を一枚の板で構成するようにしても良い。
かかる場合、戸体Ｄは、実施例３と同様、上框１、下框２、左框３、右框４、左框３の中途と右框４の中途とを接続すると共に、上框１及び下框２に平行な中間框６を有し、この中間框６の上に位置する第１の枠体に上板体Ｕ５、中間框６の下に位置する第２の枠体に下板体Ｄ５を配設してなるものである。
【００３８】
上板体Ｕ５は，上板５０’を有し、下板体Ｄ５は、下第１の板５１”と、この下第１の板５１”に対向するように設けられた下第２の板５２”を有している。
上框１は、上溝１０を有し、下框２は、第１の下溝２１と、この第１の下溝２１の正面視後方に位置する第２の下溝２２とを有している。
【００３９】
中間框６は、上端面に、上溝１０に対向する位置に上中間溝６０と、下端面に、第１の下溝２１に対向する位置に第１の下中間溝６１’と、第２の下溝２２に対向する位置に第２の下中間溝６２’とを有している。
【００４０】
左框３は、第１の左縦溝３１と、この第１の左縦溝３１の正面視後方に位置する第２の左縦溝３２と、第１の左縦溝３１と第２の左縦溝３２との間に位置する左縦溝３０とを有している。
右框４は、第１の右縦溝４１と、この第１の右縦溝４１の正面視後方に位置する第２の右縦溝４２と、第１の右縦溝４１と第２の右縦溝４２との間に位置する右縦溝４０とを有している。
【００４１】
そして、上板５０’の上縁部が上溝１０に、上板５０’の右縁部が右縦溝４１に、上板５０’の下縁部が上中間溝６０に、上板５０’の左縁部が左縦溝３１に、それぞれ係合し、下第１の板５１”の上縁部が第１の下中間溝６１’に、下第１の板５１”の右縁部が第１の右縦溝４１に、下第１の板５１”の下縁部が第１の下溝２１に、下第１の板５１”の左縁部が第１の左縦溝３１に、下第２の板５２”の上縁部が第２の下中間溝６１’に、下第２の板５２”の右縁部が第２の右縦溝４２に、下第２の板５２”の下縁部が第２の下溝２２に、下第２の板５２”の左縁部が第２の左縦溝３２に、それぞれ係合している。なお、図２４に示すＦは、露出した第１の左縦溝３１、第２の左縦溝３２、第１の右縦溝４１、第２の右縦溝４２を隠す封止部材である。
【００４２】
従って、この実施例の戸体Ｄによれば、戸体Ｄの幅寸法が変わっても、該幅寸法に対応して上框１、下框２、中間框６、上板体Ｕ５、下板体Ｄ５の幅寸法を変えて対応することができ、しかも、上板５０’の上縁部が上溝１０に、上板５０’の右縁部が右縦溝４０に、上板５０’の下縁部が上中間溝６０に、上板５０’の左縁部が左縦溝３０に、それぞれ係合し、下第１の板５１”の上縁部が第１の下中間溝６１’に、下第１の板５１”の右縁部が第１の右縦溝４１に、下第１の板５１”の下縁部が第１の下溝２１に、下第１の板５１”の左縁部が第１の左縦溝３１に、それぞれ係合し、下第２の板５２”の上縁部が第２の下中間溝６２’に、下第２の板５２”の右縁部が第２の右縦溝４２に、下第２の板５２”の下縁部が第２の下溝２２に、下第２の板５２”の左縁部が第２の左縦溝３２に、それぞれ係合しているため、下板体Ｄ５にかかる荷重を左框３にあっては、第１の左縦溝３１、第２の左縦溝３２と複数の溝で、右框４にあっては、第１の右縦溝４１、第２の右縦溝４２と複数の溝で、中間框６にあっては、第１の下中間溝６１、第２の下中間溝６２、下框２にあっては、第１の下溝２１、第２の下溝２２と複数の溝で、それぞれ分散して受け止め、戸体Ｄの強度を保つことができる。
【００４３】
また、上述した実施例４においては、上板体Ｕ５を上第１の板５１’、上第２の板５２’、本願発明にあっては、これに限らず、下板体Ｄ５を下第１の板５１”、下第２の板５２”、とそれぞれ複数枚で構成したが、図２６に示すように、上板体Ｕ５、下板体Ｄ５をそれぞれ一枚の板で構成するようにしても良い。
【００４４】
また、上述した実施例１においては、板体５を複数枚で構成したが、本願発明にあっては、これに限らず、図２７に示すように、板体５を一枚の板で構成するようにしても良い。
【００４５】
なお、上述実施例１、２の第１の板５１と第２の板５２が透明（例えば、アクリル樹脂）又は半透明部材で形成され、第１の板５１と第２の板５２との間に、被装飾体、例えば、図示しないが、格子状部材を設けて、意匠的効果を持たせることができる。また、第１の板５１の裏面、又は、第２の板５２の裏面に被装飾体、例えば、図示しないが、印刷物を貼着したり、レーザー等による彫刻を施すようにして、意匠的効果を持たせることができる。
同様に、上述実施例３、４の上第１の板５１’と上第２の板５２’が透明（例えば、アクリル樹脂）又は半透明部材で形成され、上第１の板５１’と上第２の板５２’との間に、被装飾体、例えば、図示しないが、格子状部材を設けて、意匠的効果を持たせることができる。また、上第１の板５１’の裏面、又は、上第２の板５２’の裏面に被装飾体、例えば、図示しないが、印刷物を貼着したり、レーザー等による彫刻を施すようにして、意匠的効果を持たせることができる。
同様に、上述実施例３、５の下第１の板５１”と下第２の板５２”が透明（例えば、アクリル樹脂）又は半透明部材で形成され、第１の板５１と第２の板５２との間に、被装飾体、例えば、図示しないが、格子状部材を設けて、意匠的効果を持たせることができる。また、第１の板５１の裏面、又は、第２の板５２の裏面に被装飾体、例えば、図示しないが、印刷物を貼着したり、レーザー等による彫刻を施すようにして、意匠的効果を持たせることができる。
【符号の説明】
【００４６】
Ｄ      戸体
１      上框
２      下框
３      左框
３１    第１の左縦溝
３２    第２の左縦溝
４      右框
４１    第１の右縦溝
４２    第２の右縦溝
５      板体
５１    第１の板
５２    第２の板
５３    間隔保持部材
【図１】
2014136870.tif 000003
【図２】
2014136870.tif 000004
【図３】
2014136870.tif 000005
【図４】
2014136870.tif 000006
【図５】
2014136870.tif 000007
【図６】
2014136870.tif 000008
【図７】
2014136870.tif 000009
【図８】
2014136870.tif 000010
【図９】
2014136870.tif 000011
【図１０】
2014136870.tif 000012
【図１１】
2014136870.tif 000013
【図１２】
2014136870.tif 000014
【図１３】
2014136870.tif 000015
【図１４】
2014136870.tif 000016
【図１５】
2014136870.tif 000017
【図１６】
2014136870.tif 000018
【図１７】
2014136870.tif 000019
【図１８】
2014136870.tif 000020
【図１９】
2014136870.tif 000021
【図２０】
2014136870.tif 000022
【図２１】
2014136870.tif 000023
【図２２】
2014136870.tif 000024
【図２３】
2014136870.tif 000025
【図２４】
2014136870.tif 000026
【図２５】
2014136870.tif 000027
【図２６】
2014136870.tif 000028
【図２７】
2014136870.tif 000029
【図２８】
2014136870.tif 000030
【図２９】
2014136870.tif 000031